(57)【要約】【課題】電源投入後すぐに投写画像を投写することが可能で、動きぼけのない滑らかな投写画像を投写することが可能で、かつ、投写面全面にわたってピントぼけのないシャープな投写画像を投写することが可能なプロジェクターを提供する。【解決手段】１次元的に配列される複数のレーザー光源を有する１次元レーザー光源アレイ１０Ｒ，１０Ｇ，１０Ｂを備える照明装置１００Ｒ，１００Ｇ，１００Ｂと、各照明装置から射出される光を導光するリレー光学系３００と、各照明装置から射出される光を２次元投写画像を形成するように走査する１次元走査装置４００と、各照明装置から射出される光を投写面に投写する投写光学系６００とを備えるプロジェクターであって、投写光学系６００は、１次元走査装置４００の走査により発生する像面湾曲を補償するような像面湾曲収差を有することを特徴とするプロジェクター１０００。【選択図】図１
2011197211.tif 000002
【特許請求の範囲】
【請求項１】
所定の第１方向に沿って１次元的に配列され、画像情報に応じて点滅する複数のレーザー光源を有する１次元レーザー光源アレイを備える照明装置と、
前記照明装置から射出される光を導光するリレー光学系と、
前記照明装置から射出される光を、投写面において２次元投写画像を形成するように走査する１次元走査装置と、
前記照明装置から射出される光を前記投写面に投写する投写光学系とを備えるプロジェクターであって、
前記リレー光学系及び前記投写光学系のうち少なくとも一方は、前記１次元走査装置の走査により発生する像面湾曲を補償するような像面湾曲を発生させる像面湾曲収差を有することを特徴とするプロジェクター。
【請求項２】
請求項１に記載のプロジェクターにおいて、
前記リレー光学系は、前記１次元走査装置の走査により発生する像面湾曲とは逆方向の像面湾曲を発生させる非球面レンズを備えることを特徴とするプロジェクター。
【請求項３】
請求項１に記載のプロジェクターにおいて、
前記投写光学系は、前記１次元走査装置の走査により発生する像面湾曲とは逆方向の像面湾曲を発生させる非球面レンズを備えることを特徴とするプロジェクター。
【請求項４】
請求項１に記載のプロジェクターにおいて、
前記リレー光学系として、前記１次元走査装置の走査により発生する像面湾曲と同じ方向の像面湾曲を発生させる回転対称の非球面レンズを備え、
前記投写光学系として、前記リレー光学系の像面湾曲収差により発生する像面湾曲及び前記１次元走査装置の走査により発生する像面湾曲のいずれをも補償する像面湾曲を発生させる回転対称の非球面レンズを備えることを特徴とするプロジェクター。
【請求項５】
請求項４に記載のプロジェクターにおいて、
前記リレー光学系の像面湾曲収差により発生する像面湾曲の曲率中心に、前記１次元走査装置が配置されていることを特徴とするプロジェクター。
【請求項６】
請求項１〜５のいずれかに記載のプロジェクターにおいて、
前記１次元走査装置は、ガルバノミラーであることを特徴とするプロジェクター。
【請求項７】
請求項１〜６のいずれかに記載のプロジェクターにおいて、
前記１次元走査装置は、前記リレー光学系と前記リレー光学系の中間画像形成面との間の光路中に配置されていることを特徴とするプロジェクター。
【請求項８】
請求項１〜６のいずれかに記載のプロジェクターにおいて、
前記１次元走査装置は、前記リレー光学系の中間画像形成面と前記投写光学系との間の光路中に配置されていることを特徴とするプロジェクター。
【請求項９】
請求項１〜６のいずれかに記載のプロジェクターにおいて、
前記１次元走査装置は、前記照明装置と前記リレー光学系との間の光路中に配置されていることを特徴とするプロジェクター。
【請求項１０】
請求項１〜９のいずれかに記載のプロジェクターにおいて、
前記照明装置として、
複数の赤色レーザー光源を有する赤色１次元レーザー光源アレイと、前記赤色レーザー光源に近接して配置され、前記赤色レーザー光源からの光の拡がりを抑制する赤色光用コリメーターレンズとを備える赤色照明装置と、
複数の緑色レーザー光源を有する緑色１次元レーザー光源アレイと、前記緑色レーザー光源に近接して配置され、前記緑色レーザー光源からの光の拡がりを抑制する緑色光用コリメーターレンズとを備える緑色照明装置と、
複数の青色レーザー光源を有する青色１次元レーザー光源アレイと、前記青色レーザー光源に近接して配置され、前記青色レーザー光源からの光の拡がりを抑制する青色光用コリメーターレンズとを備える青色照明装置との３つの照明装置を備え、
前記３つの照明装置から射出される各色光を合成する色合成プリズムをさらに備え、
前記色合成プリズムは、前記１次元走査装置より前段の光路中に配置されていることを特徴とするプロジェクター。
【請求項１１】
請求項１０に記載のプロジェクターにおいて、
前記色合成プリズムは、ダイクロイック膜が形成された略Ｘ字状の界面を有するクロスダイクロイックプリズムであり、
前記３つの照明装置のうち、
前記略Ｘ字状の界面をともに通過する色光を射出する照明装置は、ｐ偏光成分からなる色光を射出するように構成され、
前記略Ｘ字状の界面のうち少なくとも１つの界面で反射される色光を射出する照明装置は、ｓ偏光成分からなる色光を射出するように構成されていることを特徴とするプロジェクター。
【発明の詳細な説明】
【技術分野】
【０００１】
本発明は、プロジェクターに関する。
【背景技術】
【０００２】
従来、所定の方向に沿って１次元的に配列され、画像情報に応じて点滅する複数のレーザー光源を有する１次元レーザー光源アレイを備える照明装置と、照明装置から射出される光を導光するリレー光学系と、照明装置から射出される光を投写面において２次元画像を形成するように走査する１次元走査装置とを備え、１次元レーザー光源アレイの像を投写面に投写するプロジェクターが知られている（例えば、特許文献１参照。）。
【０００３】
従来のプロジェクターによれば、光源ランプと違って瞬時点灯可能なレーザー光源を光源として用いているため、電源投入後すぐに投写画像を投写することが可能となる。また、高速点滅可能な１次元レーザー光源アレイと、高速走査可能な１次元走査装置とを用いて２次元画像を形成することとしているため、動きぼけのない滑らかな投写画像を投写することが可能となる。
【先行技術文献】
【特許文献】
【０００４】
【特許文献１】特開２００３−２１８０４号公報（特に、図１及び請求項５参照。）
【発明の概要】
【発明が解決しようとする課題】
【０００５】
しかしながら、従来のプロジェクターにおいては、１次元走査装置の走査により像面湾曲が発生するため、投写面全面にわたってピントぼけのないシャープな投写画像を投写することが困難であるという問題がある。
【０００６】
そこで、本発明は上記の問題を解決するためになされたもので、電源投入後すぐに投写画像を投写することが可能で、動きぼけのない滑らかな投写画像を投写することが可能で、かつ、投写面全面にわたってピントぼけのないシャープな投写画像を投写することが可能なプロジェクターを提供することを目的とする。
【課題を解決するための手段】
【０００７】
［１］本発明のプロジェクターは、所定の第１方向に沿って１次元的に配列され、画像情報に応じて点滅する複数のレーザー光源を有する１次元レーザー光源アレイを備える照明装置と、前記照明装置から射出される光を導光するリレー光学系と、前記照明装置から射出される光を、投写面において２次元投写画像を形成するように走査する１次元走査装置と、前記照明装置から射出される光を前記投写面に投写する投写光学系とを備えるプロジェクターであって、前記リレー光学系及び前記投写光学系のうち少なくとも一方は、前記１次元走査装置の走査により発生する像面湾曲を補償するような像面湾曲を発生させる像面湾曲収差を有することを特徴とする。
【０００８】
このため、本発明のプロジェクターによれば、１次元走査装置の走査により発生する像面湾曲と、リレー光学系及び投写光学系のうち少なくとも一方の像面湾曲収差により発生する像面湾曲とが互いに打ち消し合うため、投写面全面にわたって像面湾曲が解消され、これにより、投写面全面にわたってピントぼけのないシャープな投写画像を投写することが可能となる。
【０００９】
また、本発明のプロジェクターによれば、従来のプロジェクターの場合と同様に、光源ランプと違って瞬時点灯可能なレーザー光源を光源として用いているため、電源投入後すぐに投写画像を投写することが可能となる。また、本発明のプロジェクターによれば、従来のプロジェクターの場合と同様に、高速点滅可能な１次元レーザー光源アレイと、高速走査可能な１次元走査装置とを用いて２次元画像を形成することとしているため、動きぼけのない滑らかな投写画像を投写することが可能となる。
【００１０】
その結果、本発明のプロジェクターは、電源投入後すぐに投写画像を投写することが可能で、動きぼけのない滑らかな投写画像を投写することが可能で、かつ、投写面全面にわたってピントぼけのないシャープな投写画像を投写することが可能なプロジェクターとなる。
【００１１】
なお、本発明のプロジェクターにおいて、「画像情報に応じて点滅する」とは、画像情報に応じて光源が任意の明るさで点灯したり消灯したりすることを意味する。
【００１２】
［２］本発明のプロジェクターにおいては、前記リレー光学系は、前記１次元走査装置の走査により発生する像面湾曲とは逆方向の像面湾曲を発生させる非球面レンズを備えることが好ましい。
【００１３】
このように構成することにより、１次元走査装置の走査により発生する像面湾曲がリレー光学系の働きにより適切に補償されることとなる。
【００１４】
［３］本発明のプロジェクターにおいては、前記投写光学系は、前記１次元走査装置の走査により発生する像面湾曲とは逆方向の像面湾曲を発生させる非球面レンズを備えることが好ましい。
【００１５】
このように構成することにより、１次元走査装置の走査により発生する像面湾曲が投写光学系の働きにより適切に補償されることとなる。
【００１６】
［４］本発明のプロジェクターにおいては、前記リレー光学系として、前記１次元走査装置の走査により発生する像面湾曲と同じ方向の像面湾曲を発生させる回転対称の非球面レンズを備え、前記投写光学系として、前記リレー光学系の像面湾曲収差により発生する像面湾曲及び前記１次元走査装置の走査により発生する像面湾曲のいずれをも補償する像面湾曲を発生させる回転対称の非球面レンズを備えることが好ましい。
【００１７】
このように構成することにより、リレー光学系の像面湾曲収差により発生する像面湾曲（後述する図１６（ａ）参照。）と、一次元走査装置の走査により発生する像面湾曲（後述する図１６（ｂ）参照。）とを合成して、回転対称の像面湾曲を発生させることが可能となる（後述する図１６（ｂ）参照。）。その結果、投写光学系としては、入手容易な回転対称の非球面レンズを用いることにより像面湾曲を解消させることが可能となる。また、リレー光学系としても、１次元レーザー光源アレイの像が配列する方向と直交する方向には像面湾曲収差による像面湾曲がほとんど発生しないため、入手容易な回転対称の非球面レンズを用いることが可能となる。
【００１８】
［５］本発明のプロジェクターにおいては、前記リレー光学系の像面湾曲収差により発生する像面湾曲の曲率中心に、前記１次元走査装置が配置されていることが好ましい。
【００１９】
このように構成することにより、リレー光学系の像面湾曲収差により発生する像面湾曲と、一次元走査装置の走査により発生する像面湾曲とを合成して、回転対称の像面湾曲を発生させることが可能となる。
【００２０】
［６］本発明のプロジェクターにおいては、前記１次元走査装置は、ガルバノミラーであることが好ましい。
【００２１】
ガルバノミラーは高速で高精度の走査が可能であるため、このような構成とすることにより、動きぼけのない滑らかな投写画像の投写を実現することが可能となる。
【００２２】
［７］本発明のプロジェクターにおいては、前記１次元走査装置は、前記リレー光学系と前記リレー光学系の中間画像形成面との間の光路中に配置されていることが好ましい。
【００２３】
このような構成とすることにより、前記リレー光学系からの光を１次元走査装置で走査することが可能となる。
【００２４】
なお、リレー光学系の中間画像形成面とは、投写光学系が投写面に拡大投写する対象となる中間画像が形成される面を意味する。
【００２５】
［８］本発明のプロジェクターにおいては、前記１次元走査装置は、前記リレー光学系の中間画像形成面と前記投写光学系との間の光路中に配置されていることが好ましい。
【００２６】
このような構成とすることにより、前記リレー光学系からの光を１次元走査装置で走査することが可能となる。
【００２７】
［９］本発明のプロジェクターにおいては、前記１次元走査装置は、前記照明装置と前記リレー光学系との間の光路中に配置されていることが好ましい。
【００２８】
このような構成とすることにより、前記照明装置からの光を１次元走査装置で走査することが可能となる。
【００２９】
［１０］本発明のプロジェクターにおいては、前記照明装置として、複数の赤色レーザー光源を有する赤色１次元レーザー光源アレイと、前記赤色レーザー光源に近接して配置され、前記赤色レーザー光源からの光の拡がりを抑制する赤色光用コリメーターレンズとを備える赤色照明装置と、複数の緑色レーザー光源を有する緑色１次元レーザー光源アレイと、前記緑色レーザー光源に近接して配置され、前記緑色レーザー光源からの光の拡がりを抑制する緑色光用コリメーターレンズとを備える緑色照明装置と、複数の青色レーザー光源を有する青色１次元レーザー光源アレイと、前記青色レーザー光源に近接して配置され、前記青色レーザー光源からの光の拡がりを抑制する青色光用コリメーターレンズとを備える青色照明装置との３つの照明装置を備え、前記３つの照明装置から射出される各色光を合成する色合成プリズムをさらに備え、前記色合成プリズムは、前記１次元走査装置より前段の光路中に配置されていることが好ましい。
【００３０】
このような構成とすることにより、フルカラー画像を投写可能なプロジェクターとすることが可能となる。
【００３１】
［１１］本発明のプロジェクターにおいては、前記色合成プリズムは、ダイクロイック膜が形成された略Ｘ字状の界面を有するクロスダイクロイックプリズムであり、前記３つの照明装置のうち、前記略Ｘ字状の界面をともに通過する色光を射出する照明装置は、ｐ偏光成分からなる色光を射出するように構成され、前記略Ｘ字状の界面のうち少なくとも１つの界面で反射される色光を射出する照明装置は、ｓ偏光成分からなる色光を射出するように構成されていることが好ましい。
【００３２】
ダイクロイック膜においてはｐ偏光からなる光よりもｓ偏光からなる光の方が反射されやすいため、このような構成とすることにより、クロスダイクロイックプリズムにおける反射損を低減し、より高輝度なプロジェクターとすることが可能となる。
【図面の簡単な説明】
【００３３】
【図１】実施形態１に係るプロジェクター１０００を説明するために示す図。
【図２】実施形態１における赤色照明装置１００Ｒを説明するために示す図。
【図３】実施形態１における赤色１次元レーザー光源アレイ１０Ｒを説明するために示す図。
【図４】実施形態１における赤色光用コリメーターレンズ５０Ｒを説明するために示す図。
【図５】実施形態１並びに変形例１及び２におけるリレー光学系３００が中間画像を形成する様子を示す図。
【図６】実施形態１に係るプロジェクター１０００による投写画像を説明するために示す図。
【図７】実施形態１における投写光学系６００により像面湾曲が補償される原理を示す図。
【図８】実施形態２に係るプロジェクター１００２を説明するために示す図。
【図９】実施形態２における投写光学系６００により像面湾曲が補償される原理を示す図。
【図１０】実施形態３に係るプロジェクター１００４を説明するために示す図。
【図１１】実施形態３における投写光学系６００により像面湾曲が補償される原理を示す図。
【図１２】実施形態４に係るプロジェクター１００６を説明するために示す図。
【図１３】実施形態４におけるリレー光学系３０２により像面湾曲が補償される原理を示す図。
【図１４】実施形態５に係るプロジェクター１００８を説明するために示す図。
【図１５】実施形態５におけるリレー光学系３０４及び投写光学系６０４により像面湾曲が補償される原理を示す図。
【図１６】実施形態５におけるリレー光学系３０４及び投写光学系６０４により像面湾曲が補償される原理を示す図。
【発明を実施するための形態】
【００３４】
以下、本発明の照明装置及びプロジェクターについて、図に示す実施の形態に基づいて説明する。
【００３５】
［実施形態１］
１．プロジェクター１０００の構成
図１は、実施形態１に係るプロジェクター１０００を説明するために示す図である。図１（ａ）はプロジェクター１０００の光学系を示す側面図であり、図１（ｂ）はプロジェクター１０００の光学系を投写光学系６００側から見た正面図である。図１及び後述する図５、図７、図８、図９、図１０、図１１、図１２、図１３、図１４、図１５及び図１６において符号Ｐで示すのは、中間画像形成面である。
図２は、実施形態１における赤色照明装置１００Ｒを説明するために示す図である。図２（ａ）は赤色照明装置１００Ｒの斜視図であり、図２（ｂ）は赤色照明装置１００Ｒの部分拡大上面図であり、図２（ｃ）は赤色照明装置１００Ｒの部分拡大側面図である。なお、図２並びに後述する図３においては、一方の端部における１つの赤色レーザー光源３０Ｒのみを符号で示し、残りの赤色レーザー光源３０Ｒについては符号の表示を省略する。また、図２並びに後述する図４においては、一方の端部における１つの平凸レンズ６０のみを符号で示し、残りの平凸レンズ６０については符号の表示を省略する。
【００３６】
図３は、実施形態１における赤色１次元レーザー光源アレイ１０Ｒを説明するために示す図である。図３（ａ）は赤色１次元レーザー光源アレイ１０Ｒの斜視図であり、図３（ｂ）は赤色１次元レーザー光源アレイ１０Ｒの部分拡大斜視図である。
図４は、実施形態１における赤色光用コリメーターレンズ５０Ｒを説明するために示す図である。図４（ａ）は赤色光用コリメーターレンズ５０Ｒの斜視図であり、図４（ｂ）は赤色光用コリメーターレンズ５０Ｒの部分拡大斜視図である。
【００３７】
図５は、リレーレンズ３００が中間画像を形成する様子を示す図である。図５（ａ）は実施形態１におけるリレー光学系３００の結像関係を示す模式図であり、図５（ｂ）は変形例１におけるリレー光学系３００の結像関係を示す模式図であり、図５（ｃ）は変形例２におけるリレー光学系３００の結像関係を示す模式図である。図５においては、結像に関係しない光学要素（ダイクロイックプリズム２００等）の図示を省略する。図５において符号ｏで示すのは光通過領域又は発光領域であり、符号ｉで示すのは光通過領域の像又は発光領域の像である。なお、明るい場所ほど白に近い色で示し、暗い場所ほど黒に近い色で示す。
図６は、実施形態１に係るプロジェクター１０００による投写画像を説明するために示す図である。図６（ａ）は投写画像を展開し始めるときにおけるスクリーンＳＣＲの様子を示す模式図であり、図６（ｂ）は投写画像を途中まで展開したときにおけるスクリーンＳＣＲの様子を示す模式図であり、図６（ｃ）は投写画像を展開し終わったときにおけるスクリーンＳＣＲの様子を示す模式図である。
図７は、実施形態１における投写光学系６００により像面湾曲が補償される原理を示す図である。図７（ａ）は１次元走査装置４００により像面湾曲が発生する様子を示す図であり、図７（ｂ）は投写光学系６００の像面湾曲収差により像面湾曲が発生する様子を示す図であり、図７（ｃ）は投写光学系６００によって１次元走査装置４００の走査により発生する像面湾曲が補償される様子を示す図である。
【００３８】
なお、以下の説明においては、互いに直交する３つの方向をそれぞれｚ軸方向（図１におけるクロスダイクロイックプリズム２００から１次元走査装置４００までの光軸に平行な方向）、ｘ軸方向（図１（ａ）における紙面に垂直かつｚ軸に垂直な方向）及びｙ軸方向（図１（ａ）における紙面に平行かつｚ軸に垂直な方向）とする。
【００３９】
実施形態１に係るプロジェクター１０００は、図１に示すように、３つの照明装置（赤色照明装置１００Ｒ、緑色照明装置１００Ｇ及び青色照明装置１００Ｂ）、クロスダイクロイックプリズム２００、リレー光学系３００、１次元走査装置４００、フィールドレンズ５００及び投写光学系６００を備える。
【００４０】
赤色照明装置１００Ｒは、図１及び図２に示すように、赤色１次元レーザー光源アレイ１０Ｒと、赤色光用コリメーターレンズ５０Ｒとを備える。赤色照明装置１００Ｒは、ｓ偏光成分からなる赤色光を射出する。ｓ偏光成分からなる赤色光を射出するために、ｓ偏光成分からなる赤色光を射出する赤色１次元レーザー光源アレイ１０Ｒを用いてもよいし、ｐ偏光成分からなる赤色光を射出する赤色１次元レーザー光源アレイ１０Ｒと、ｐ偏光成分からなる光をｓ偏光成分からなる光に変換するλ／２板とを用いてもよい。
【００４１】
赤色１次元レーザー光源アレイ１０Ｒは、図２及び図３に示すように、基板２０Ｒ及び複数の赤色レーザー光源３０Ｒを有する。なお、赤色レーザー光源の個数については、投写する投写画像の総画素数及び縦横比並びに１次元走査装置の方式により必要な個数が決まる。例えば、後述するように投写面に対して縦方向に走査することにより、縦１０８０画素、横１９２０画素からなる投写画像を投写する場合には、最低で１９２０個の赤色レーザー光源が必要となる。
【００４２】
基板２０Ｒは、複数の赤色レーザー光源３０Ｒを搭載する機能を有する。詳細な説明は省略するが、基板２０Ｒは、複数の赤色レーザー光源３０Ｒに対する電力の供給を仲介する機能や、複数の赤色レーザー光源３０Ｒで発生する熱を放熱する機能等を併せて有する。
複数のレーザー光源３０Ｒは、赤色照明装置１００Ｒにおける所定の第１方向ｄＲ（ｚ軸方向と平行な方向）に沿って１次元的に配列され、画像情報に応じて点滅する。
レーザー光源３０Ｒは、赤色光を射出する半導体レーザーからなる。当該半導体レーザーは、図２及び図３に示すように、長方形形状の発光領域を有し、当該発光領域の長辺が、赤色照明装置１００Ｒにおける第１方向ｄＲと略平行になるように配置されている。
半導体レーザーにおける発光領域の大きさは、例えば、長辺が８μｍ、短辺が２μｍである。また、ある赤色レーザー光源３０Ｒの中心から隣接する赤色レーザー光源３０Ｒの中心までの距離は、例えば２０μｍであり、つまりこの場合、ある赤色レーザー光源３０Ｒと隣接する赤色レーザー光源３０Ｒとの間には、１２μｍの隙間があることになる。
【００４３】
赤色光用コリメーターレンズ５０Ｒは、図２及び図４に示すように、赤色１次元レーザー光源アレイ１０Ｒに近接して配置され、赤色レーザー光源３０Ｒからの光の拡がりを抑制する。赤色光用コリメーターレンズ５０Ｒは、赤色照明装置１００Ｒにおける第１方向ｄＲに沿って１次元的に配列され、赤色レーザー光源３０Ｒのそれぞれに対応する複数の平凸レンズ６０を有する１次元レンズアレイからなる。赤色光用コリメーターレンズ５０Ｒは、複数の平凸レンズ６０における凸面側を赤色１次元レーザー光源アレイ１０Ｒに向けて配置されている。
【００４４】
平凸レンズ６０は、図２（ｃ）及び図４（ｂ）に示すように、入射面６２、入射面の表面６４及び射出面６６を有する。
平凸レンズ６０においては、凸面が赤色１次元レーザー光源アレイ１０Ｒの方向を向いているため、入射面６２及び入射面の表面６４は図２（ｃ）及び図４（ｂ）に示す位置となる。
なお、射出面６６は平面であるため、射出面と当該射出面の表面とは同一の面となる。
【００４５】
複数の平凸レンズ６０の形状は、光通過領域の像が略正方形形状となるような形状（非球面形状）である。このような構成とすることにより、投写面において、投写光学系６００が投写面に拡大投写する中間画像を、所定の方向と垂直な方向に沿ってもほぼ隙間無く配列することが可能となり、ひいては、一層自然な投写画像を投写することが可能となる。
【００４６】
緑色照明装置１００Ｇは、図１に示すように、緑色照明装置１００Ｇにおける所定の第１方向ｄＧ（ｘ軸に平行な方向。図示せず。）に沿って１次元的に配列され、画像情報に応じて点滅する複数の緑色レーザー光源３０Ｇ（図示せず。）を有する緑色１次元レーザー光源アレイ１０Ｇと、緑色レーザー光源３０Ｇからの光の拡がりを抑制する緑色光用コリメーターレンズ５０Ｇとを備える。緑色照明装置１００Ｇは、ｐ偏光からなる緑色光を射出する点以外は基本的に赤色照明装置１００Ｒと同様の構成を有するため、説明を省略する。
青色照明装置１００Ｂは、青色照明装置１００Ｂにおける所定の第１方向（ｚ軸に平行な方向。図示せず。）に沿って１次元的に配列され、画像情報に応じて点滅する複数の青色レーザー光源３０Ｂ（図示せず。）を有する青色１次元レーザー光源アレイ１０Ｂと、青色レーザー光源３０Ｂからの光の拡がりを抑制する青色光用コリメーターレンズ５０Ｂとを備える。青色照明装置１００Ｂは、青色光を射出する点以外は基本的に赤色照明装置１００Ｒと同様の構成を有するため、説明を省略する。
【００４７】
なお、実施形態１に示す赤色照明装置１００Ｒ、緑色照明装置１００Ｇ及び青色照明装置１００Ｂの配置は一例であり、各照明装置の位置を入れ替えてもよい。その際においても、略Ｘ字状の界面をともに通過する色光を射出する照明装置をｐ偏光成分からなる色光を射出するように構成し、略Ｘ字状の界面のうち少なくとも１つの界面で反射される色光を射出する照明装置をｓ偏光成分からなる色光を射出するように構成すれば、実施形態１に係るプロジェクター１０００が有する効果（後述）を損なうこともない。
【００４８】
クロスダイクロイックプリズム２００は、３つの照明装置（赤色照明装置１００Ｒ、緑色照明装置１００Ｇ及び青色照明装置１００Ｂ）から射出される各色光を合成する色合成プリズムである。クロスダイクロイックプリズム２００は、図１に示すように、１次元走査装置４００より前段の光路中に配置されている。
クロスダイクロイックプリズム２００は、ダイクロイック膜である誘電体多層膜が形成された略Ｘ字状の界面を有する。略Ｘ字状の一方の界面に形成された誘電体多層膜は、赤色光を反射し、緑色光を通過させるものであり、他方の界面に形成された誘電体多層膜は、青色光を反射し緑色光を通過させるものである。これらの誘電体多層膜により赤色光及び青色光は反射され、緑色光の進行方向と揃えられることにより、３つの色光が合成される。
【００４９】
リレー光学系３００は、３つの照明装置から射出される光を導光する。リレー光学系３００は、凸レンズからなる。なお、リレー光学系は複数の光学素子からなるものであってもよい。
【００５０】
赤色光用コリメーターレンズ５０Ｒにおける射出面６２と、リレー光学系３００における中間画像形成面Ｐとは、図５（ａ）に示すように、光学的に共役の位置にある。図示は省略するが、緑色光用コリメーターレンズ５０Ｇにおける射出面６２及び青色光用コリメーターレンズ５０Ｂも赤色光用コリメーターレンズ５０Ｒと同様に、リレー光学系３００における中間画像形成面Ｐと光学的に共役の位置にある。このため、リレー光学系３００における中間画像形成面Ｐにおいては、各コリメーターレンズの射出面における複数の光通過領域の像iが所定の方向に沿ってほぼ隙間無く配列された中間画像を形成することが可能となり、ひいては、自然な投写画像を投写することが可能となる。なお、図５においては、説明を簡単にするために５つの光通過領域の像iのみを表示するが、実際にはさらに多数の光通過領域の像（例えば、投写面に対して縦方向に走査することにより、縦１０８０画素、横１９２０画素からなる投写画像を投写する場合には、１９２０個の光通過領域の像）が投写される。なお、図５（ｂ）及び図５（ｃ）に図示する、変形例１に係るプロジェクター１０００ａ及び変形例２に係るプロジェクター１０００ｂにつていては後述する。
【００５１】
１次元走査装置４００は、３つの照明装置から射出される光を、スクリーンＳＣＲにおける投写面において２次元投写画像を形成するように走査する。１次元走査装置４００は、リレー光学系３００とリレー光学系３００の中間画像形成面Ｐとの間の光路中に配置されている。１次元走査装置４００は、ガルバノミラーからなり、光を反射するミラー部４１０と、電気信号によりミラー部４１０を駆動する駆動部４２０とを有する。
１次元走査装置４００は、後述するように（図６参照。）スクリーンＳＣＲにおける投写面に対して投写画像が縦方向に走査されるように１次元的な走査を行う。
投写光学系６００は、３つの照明装置から射出される光をフィールドレンズ５００とともにスクリーンＳＣＲにおける投写面に投写する。投写光学系６００は、１次元走査装置４００の走査により発生する像面湾曲とは逆方向の像面湾曲を発生させる非球面レンズを備える。  
【００５２】
プロジェクター１０００による投写画像の投写を、図６を用いて説明する。
まず、３つの光源装置からの光は、図６（ａ）に示すように、リレー光学系３００、１次元走査装置４００、フィールドレンズ５００及び投写光学系６００により、スクリーンＳＣＲにおける投写面の上端に投写される。
次に、１次元走査装置の走査により、投写される光は下に移動する。このとき、投写される光の移動に合わせて各１次元レーザー光源アレイにおけるレーザー光源が画像情報に応じて点滅する。図６（ｂ）の状態を経て図６（ｃ）の状態になると、投写領域全体に１枚の２次元投写画像が展開される。以降、上記した方法に沿って投写画像の展開を繰り返す。展開を繰り返す頻度は任意に決定することができるが、例えば、１秒間に６０回程度とすることができる。
【００５３】
実施形態１における投写光学系６００により像面湾曲が補償される原理を、図７を用いて説明する。
中間画像形成面Ｐにおいては、１次元走査装置４００の走査により像面湾曲が発生する。このとき、通常の投写光学系６０２を用いた場合には、図７（ａ）に示すように、像面湾曲を有する中間画像がそのまま投写面に投写されるため、投写面の周縁部分でピントぼけが発生し、投写面全面にわたってピントぼけのないシャープな投写画像を投写することが困難となる。
そこで、実施形態１においては、通常の投写光学系６０２に代えて、１次元走査装置４００の走査により発生する像面湾曲を補償するような像面湾曲を発生させる像面湾曲収差を有する投写光学系６００を用いることとしている（図７（ｂ）参照。）。このため、実施形態１に係るプロジェクター１０００によれば、１次元走査装置４００の走査により発生する像面湾曲と、投写光学系６００の像面湾曲収差により発生する像面湾曲とが互いに打ち消し合うため、図７（ｃ）に示すように、投写面全面にわたって像面湾曲が解消され、これにより、投写面全面にわたってピントぼけのないシャープな投写画像を投写することが可能となる。
【００５４】
２．プロジェクター１０００の効果
実施形態１に係るプロジェクター１０００によれば、上記したように、１次元走査装置４００の走査により発生する像面湾曲と、投写光学系６００の像面湾曲収差により発生する像面湾曲とが互いに打ち消し合うため、投写面全面にわたって像面湾曲が解消され、これにより、投写面全面にわたってピントぼけのないシャープな投写画像を投写することが可能となる。
【００５５】
また、実施形態１に係るプロジェクター１０００によれば、従来のプロジェクターの場合と同様に、光源ランプと違って瞬時点灯可能なレーザー光源を光源として用いているため、電源投入後すぐに投写画像を投写することが可能となる。また、実施形態１に係るプロジェクター１０００によれば、従来のプロジェクターの場合と同様に、高速点滅可能な１次元レーザー光源アレイと、高速走査可能な１次元走査装置とを用いて２次元画像を形成することとしているため、動きぼけのない滑らかな投写画像を投写することが可能となる。
【００５６】
その結果、実施形態１に係るプロジェクター１０００は、電源投入後すぐに投写画像を投写することが可能で、動きぼけのない滑らかな投写画像を投写することが可能で、かつ、投写面全面にわたってピントぼけのないシャープな投写画像を投写することが可能なプロジェクターとなる。
【００５７】
また、実施形態１に係るプロジェクター１０００によれば、投写光学系６００が、１次元走査装置４００の走査により発生する像面湾曲を補償するような像面湾曲を発生させる非球面レンズを備えるため、１次元走査装置の走査により発生する像面湾曲が投写光学系の働きにより適切に補償されることとなる。
【００５８】
また、実施形態１に係るプロジェクター１０００によれば、１次元走査装置４００がガルバノミラーからなるため、動きぼけのない滑らかな投写画像の投写を実現することが可能となる。
【００５９】
また、実施形態１に係るプロジェクター１０００によれば、１次元走査装置４００は、リレー光学系３００とリレー光学系３００の中間画像形成面Ｐとの間の光路中に配置されているため、リレー光学系からの光を１次元走査装置で走査することが可能となる。
【００６０】
また、実施形態１に係るプロジェクター１０００によれば、赤色照明装置１００Ｒと、緑色照明装置１００Ｇと、青色照明装置１００Ｂとの３つの照明装置と、クロスダイクロイックプリズム（色合成プリズム）とを備えるため、フルカラー画像を投写可能なプロジェクターとすることが可能となる。
【００６１】
また、実施形態１に係るプロジェクター１０００によれば、色合成プリズムがクロスダイクロイックプリズム２００であり、３つの照明装置のうち、略Ｘ字状の界面をともに通過する色光を射出する照明装置（緑色照明装置１００Ｇ）はｐ偏光成分からなる色光を射出するように構成され、略Ｘ字状の界面のうち少なくとも１つの界面で反射される色光を射出する照明装置（赤色照明装置１００Ｒ及び青色照明装置１００Ｂ）は、ｓ偏光成分からなる色光を射出するように構成されているため、クロスダイクロイックプリズム２００における反射損を低減し、より高輝度なプロジェクターとすることが可能となる。
【００６２】
なお、各レーザー光源とリレー光学系における中間画像形成面とが光学的に共役の位置にあるプロジェクター（「各照明装置がコリメーターレンズを備えない、変形例１に係るプロジェクター１０００ａ（上記した図５（ｂ）参照。）」及び「各照明装置がコリメーターレンズを備える、変形例２に係るプロジェクター１０００ｂ（上記した図５（ｃ）参照。）」）においては、実施形態１に係るプロジェクター１０００の場合とは異なり、リレー光学系３００の中間画像形成面Ｐの位置で複数の光通過領域の像が所定の方向に沿って離散的に配列された状態で形成されることとなる。
【００６３】
しかしながら、これらのプロジェクター（変形例１に係るプロジェクター１０００ａ及び変形例２に係るプロジェクター１０００ｂ）によっても、実施形態１に係るプロジェクター１０００の場合と同様に、１次元走査装置４００の走査により発生する像面湾曲と、投写光学系６００の像面湾曲収差により発生する像面湾曲とが互いに打ち消し合うため、図７（ｃ）に示すように、投写面全面にわたって像面湾曲が解消され、これにより、投写面全面にわたってピントぼけのないシャープな投写画像を投写することが可能となる。
【００６４】
［実施形態２］
図８は、実施形態２に係るプロジェクター１００２を説明するために示す図である。図８（ａ）はプロジェクター１００２の光学系を示す側面図であり、図８（ｂ）はプロジェクター１００２の光学系を投写光学系６００側から見た正面図である。
図９は、実施形態２における投写光学系６００により像面湾曲が補償される原理を示す図である。図９（ａ）は１次元走査装置４００の走査により像面湾曲が発生する様子を示す図であり、図９（ｂ）は投写光学系６００の像面湾曲収差により像面湾曲が発生する様子を示す図であり、図９（ｃ）は投写光学系６００によって１次元走査装置４００の走査により発生する像面湾曲が補償される様子を示す図である。
【００６５】
実施形態２に係るプロジェクター１００２は、基本的には実施形態１に係るプロジェクター１０００と同様の構成を有するが、１次元走査装置の配置位置が実施形態１に係るプロジェクター１００２の場合とは異なる。すなわち、実施形態２に係るプロジェクター１００２においては、図８及び図９に示すように、１次元走査装置４００は、リレー光学系３００の中間画像形成面Ｐと投写光学系６００との間の光路中に配置されている。
【００６６】
このように、実施形態２に係るプロジェクター１００２は、１次元走査装置４００の配置位置が実施形態１に係るプロジェクター１０００の場合とは異なるが、１次元走査装置４００の走査により発生する像面湾曲と、投写光学系６００の像面湾曲収差により発生する像面湾曲とが互いに打ち消し合うため、実施形態１に係るプロジェクター１０００の場合と同様に、投写面全面にわたって像面湾曲が解消され、これにより、投写面全面にわたってピントぼけのないシャープな投写画像を投写することが可能なプロジェクターとなる。
【００６７】
なお、実施形態２に係るプロジェクター１００２は、１次元走査装置の配置位置以外の点においては実施形態１に係るプロジェクター１０００と同様の構成を有するため、実施形態１に係るプロジェクター１０００が有する効果のうち該当する効果をそのまま有する。
【００６８】
［実施形態３］
図１０は、実施形態３に係るプロジェクター１００４を説明するために示す図である。図１０（ａ）はプロジェクター１００４の光学系を示す側面図であり、図１０（ｂ）はプロジェクター１００４の光学系を投写光学系６００側から見た正面図である。
図１１は、実施形態３における投写光学系６００により像面湾曲が補償される原理を示す図である。図１１（ａ）は１次元走査装置４００の走査により像面湾曲が発生する様子を示す図であり、図１１（ｂ）は投写光学系６００の像面湾曲収差により像面湾曲が発生する様子を示す図であり、図１１（ｃ）は投写光学系６００によって１次元走査装置４００の走査により発生する像面湾曲が補償される様子を示す図である。
【００６９】
実施形態３に係るプロジェクター１００４は、基本的には実施形態１に係るプロジェクター１０００と同様の構成を有するが、１次元走査装置の配置位置が実施形態１に係るプロジェクター１０００とは異なる。すなわち、実施形態３に係るプロジェクター１００４においては、図１０及び図１１に示すように、１次元走査装置４００は、３つの照明装置とリレー光学系３００との間の光路中に配置されている。
【００７０】
このように、実施形態３に係るプロジェクター１００４は、１次元走査装置の配置位置が実施形態１に係るプロジェクター１０００の場合とは異なるが、１次元走査装置４００の走査により発生する像面湾曲と、投写光学系６００の像面湾曲収差により発生する像面湾曲とが互いに打ち消し合うため、実施形態１に係るプロジェクター１０００の場合と同様に、投写面全面にわたって像面湾曲が解消され、これにより、投写面全面にわたってピントぼけのないシャープな投写画像を投写することが可能なプロジェクターとなる。
【００７１】
なお、実施形態３に係るプロジェクター１００４は、１次元走査装置の配置位置以外の点においては実施形態１に係るプロジェクター１０００と同様の構成を有するため、実施形態１に係るプロジェクター１０００が有する効果のうち該当する効果をそのまま有する。
【００７２】
［実施形態４］
図１２は、実施形態４に係るプロジェクター１００６を説明するために示す図である。図１２（ａ）はプロジェクター１００６の光学系を示す側面図であり、図１２（ｂ）はプロジェクター１００６の光学系を投写光学系６０２側から見た正面図である。
図１３は、実施形態４におけるリレー光学系３０２により像面湾曲が補償される原理を示す図である。図１３（ａ）は１次元走査装置４００の走査により像面湾曲が発生する様子を示す図であり、図１３（ｂ）はリレー光学系３０２の像面湾曲収差により像面湾曲が発生する様子を示す図であり、図１３（ｃ）はリレー光学系３０２によって１次元走査装置４００の走査により発生する像面湾曲が補償される様子を示す図である。
【００７３】
実施形態４に係るプロジェクター１００６は、基本的には実施形態３に係るプロジェクター１００４と同様の構成を有するが、投写光学系に代えてリレー光学系に像面湾曲収差を持たせた点が実施形態３に係るプロジェクター１００４とは異なる。すなわち、実施形態４に係るプロジェクター１００６においては、図１２及び図１３に示すように、１次元走査装置４００の走査により発生する像面湾曲を補償するような像面湾曲を発生させる非球面レンズを備えるリレー光学系３０２を用いている。また、これに伴い、投写光学系として、像面湾曲収差を有しない通常の投写光学系６０２を用いている。
【００７４】
実施形態４におけるリレー光学系３０２により像面湾曲が補償される原理を、図１３を用いて説明する。
通常のリレー光学系３００を用いた場合には、図１３（ａ）に示すように、中間画像形成面Ｐにおいて像面湾曲が発生する。このため、投写面の周縁部分でピントぼけが発生し、投写面全面にわたってピントぼけのないシャープな投写画像を投写することが困難となる。
そこで、実施形態４においては、通常のリレー光学系３００に代えて、１次元走査装置４００の走査により発生する像面湾曲を補償するような像面湾曲を発生させる像面湾曲収差を有するリレー光学系３０２を用いることとしている（図１３（ｂ）参照。）。このため、実施形態４に係るプロジェクター１００６によれば、１次元走査装置４００の走査により発生する像面湾曲と、リレー光学系３０２の像面湾曲収差により発生する像面湾曲とが互いに打ち消し合うため、図１３（ｃ）に示すように、投写面全面にわたって像面湾曲が解消され、これにより、投写面全面にわたってピントぼけのないシャープな投写画像を投写することが可能となる。
【００７５】
このように、実施形態４に係るプロジェクター１００６は、投写光学系に代えてリレー光学系に像面湾曲収差を持たせた点で実施形態３に係るプロジェクター１００４の場合とは異なるが、１次元走査装置４００の走査により発生する像面湾曲と、リレー光学系３０２の像面湾曲収差により発生する像面湾曲とが互いに打ち消し合うため、実施形態３に係るプロジェクター１００４の場合と同様に、投写面全面にわたって像面湾曲が解消され、これにより、投写面全面にわたってピントぼけのないシャープな投写画像を投写することが可能となる。
【００７６】
なお、実施形態４に係るプロジェクター１００６は、投写光学系に代えてリレー光学系に像面湾曲収差を持たせた点以外の点においては実施形態３に係るプロジェクター１００４と同様の構成を有するため、実施形態３に係るプロジェクター１００４が有する効果のうち該当する効果をそのまま有する。
【００７７】
［実施形態５］
図１４は、実施形態５に係るプロジェクター１００８を説明するために示す図である。図１４（ａ）はプロジェクター１００８の光学系を示す側面図であり、図１４（ｂ）はプロジェクター１００８の光学系を投写光学系６０４側から見た正面図である。
図１５及び図１６は、実施形態５におけるリレー光学系３０４及び投写光学系６０４により像面湾曲が補償される原理を示す図である。図１５（ａ）は１次元走査装置４００の走査により像面湾曲が発生する様子を示す図であり、図１５（ｂ）はリレー光学系３０４の像面湾曲収差により像面湾曲が発生する様子を示す図であり、図１５（ｃ）は投写光学系６０４によって１次元走査装置４００の走査により発生する像面湾曲が補償される様子を示す図である。図１６（ａ）はリレー光学系３０４の像面湾曲収差により発生する（横方向の）像面湾曲を示す模式図であり、図１６（ｂ）は１次元走査装置４００の走査により（縦方向の）像面湾曲が発生する様子を示す模式図であり、図１６（ｃ）は投写光学系６０４により像面湾曲が補償される様子を示す模式図である。なお、図１６においては、結像に関係しない光学要素（ダイクロイックプリズム２００等）の図示を省略する。
【００７８】
実施形態５に係るプロジェクター１００８は、基本的には実施形態１に係るプロジェクター１０００と同様の構成を有するが、リレー光学系及び投写光学系に所定の像面湾曲収差を持たせた点が実施形態１に係るプロジェクター１０００とは異なる。すなわち、実施形態５に係るプロジェクター１００８においては、図１４、図１５及び図１６に示すように、リレー光学系３０４として、１次元走査装置４００の走査により発生する像面湾曲と同じ方向の像面湾曲を発生させる回転対称の非球面レンズを備え、投写光学系６０４として、リレー光学系３０４の像面湾曲収差により発生する像面湾曲及び１次元走査装置４００の走査により発生する像面湾曲のいずれをも補償する像面湾曲を発生させる回転対称の非球面レンズを備える。
【００７９】
実施形態５におけるリレー光学系３０４及び投写光学系６０４により像面湾曲が補償される原理を、図１５及び図１６を用いて説明する。
通常のリレー光学系３００及び投写光学系６０２を用いた場合には、図１５（ａ）に示すように、中間画像形成面Ｐにおいて像面湾曲が発生する。このため、投写面の周縁部分でピントぼけが発生し、投写面全面にわたってピントぼけのないシャープな投写画像を投写することが困難となる。
そこで、実施形態５においては、図１５（ｂ）及び図１５（ｃ）に示すように、通常のリレー光学系３００及び投写光学系６０２に代えて、１次元走査装置４１０の走査により発生する像面湾曲と同じ方向の像面湾曲を発生させる回転対称の非球面レンズを備えるリレー光学系３０４と、リレー光学系３０４の像面湾曲収差により発生する像面湾曲及び１次元走査装置４００の走査により発生する像面湾曲のいずれをも補償する像面湾曲を発生させる回転対称の非球面レンズを備える投写光学系６０４を備える。このため、実施形態５に係るプロジェクター１００８によれば、リレー光学系３０４の像面湾曲収差により発生する横方向の像面湾曲（図１６（ａ）参照。）と、１次元走査装置４００の走査により発生する縦方向の像面湾曲（図１６（ｂ）参照。）とを合成して、回転対称の像面湾曲を発生させることが可能となる（図１６（ｃ）参照。）。その結果、投写光学系として、入手容易な回転対称の非球面レンズを備える投写光学系６０４を用いることにより像面湾曲を解消させることが可能となる。また、リレー光学系３０４としても、１次元レーザー光源アレイの像が配列する方向と直交する方向には像面湾曲収差による像面湾曲がほとんど発生しないため、入手容易な回転対称の非球面レンズを備えるリレー光学系を用いることが可能となる。
【００８０】
このように、実施形態５に係るプロジェクター１００８は、リレー光学系及び投写光学系に所定の像面湾曲収差を持たせた点が実施形態１に係るプロジェクター１０００の場合とは異なるが、１次元走査装置４００の走査により発生する像面湾曲と、リレー光学系３０４及び投写光学系６０４の像面湾曲収差により発生する像面湾曲とが互いに打ち消し合うため、実施形態１に係るプロジェクター１０００の場合と同様に、投写面全面にわたって像面湾曲が解消され、これにより、投写面全面にわたってピントぼけのないシャープな投写画像を投写することが可能なプロジェクターとなる。
【００８１】
なお、実施形態５に係るプロジェクター１００８は、リレー光学系及び投写光学系に所定の像面湾曲収差を持たせた点以外の点においては実施形態１に係るプロジェクター１０００の場合と同様の構成を有するため、実施形態１に係るプロジェクター１０００が有する効果のうち該当する効果をそのまま有する。
【００８２】
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【００８３】
（１）上記各実施形態においては、投写面に対して投写画像が縦方向に走査されるように１次元的な走査を行う１次元走査装置４００を用いたが、本発明はこれに限定されるものではない。投写面に対して投写画像が横方向に走査されるように１次元的な走査を行う１次元走査装置を用いてもよい。
【００８４】
（２）上記各実施形態においては、長方形形状の発光領域を有する半導体レーザーを用いたが、本発明はこれに限定されるものではない。例えば、正方形形状の発光領域を有する半導体レーザーを用いてもよい。
【００８５】
（３）上記各実施形態においては、照明装置として３つの照明装置を用いたが、本発明はこれに限定されるものではない。照明装置として３つより少ない照明装置を用いてもよいし、３つより多い照明装置を用いてもよい。
【００８６】
（４）上記各実施形態においては、色合成プリズムとしてクロスダイクロイックプリズム２００を用いたが、本発明はこれに限定されるものではない。色合成プリズムとして他の種類のプリズムを用いてもよい。
【００８７】
（６）上記各実施形態においては、凸面側を各１次元レーザー光源アレイに向けて配置されているコリメーターレンズを用いたが、本発明はこれに限定されるものではない。平面側を１次元レーザー光源アレイに向けて配置されているコリメーターレンズを用いてもよい。
【００８８】
（７）上記各実施形態においては、ガルバノミラーからなる１次元走査装置４００を用いたが、本発明はこれに限定されるものではない。例えば、ポリゴンミラーからなる１次元走査装置を用いてもよい。
【００８９】
（８）上記各実施形態においては、各コリメーターレンズにおける射出面とリレー光学系における中間画像形成面とが光学的に共役の位置にある光学系を用いたが、本発明はこれに限定されるものではない。コリメーターレンズにおける入射面とリレー光学系における中間画像形成面とが光学的に共役の位置にある光学系を用いてもよい。
【００９０】
（９）本発明は、投写画像を観察する側から投写するフロント投写型プロジェクターに適用する場合にも、投写画像を観察する側とは反対の側から投写するリア投写型プロジェクターに適用する場合にも可能である。
【符号の説明】
【００９１】
１０Ｒ…赤色１次元レーザー光源アレイ、２０Ｒ…基板、３０Ｒ…赤色レーザー光源、１０Ｇ…緑色１次元レーザー光源アレイ、１０Ｂ…青色１次元レーザー光源アレイ、５０Ｒ…赤色光用コリメーターレンズ、５０Ｇ…緑色光用コリメーターレンズ、５０Ｂ…青色光用コリメーターレンズ、６０…平凸レンズ、６２…入射面、６４…入射面の表面、６６…射出面、１００Ｒ…赤色照明装置、１００Ｇ…緑色照明装置、１００Ｂ…青色照明装置、３００，３０２，３０４…リレー光学系、４００…１次元走査装置、４１０…ミラー部、４２０…駆動部、５００…フィールドレンズ、６００，６０２，６０４…投写光学系、１０００，１００２，１００４，１００６，１００８…プロジェクター、ｄＲ…赤色照明装置における第１方向、ｉ…光通過領域の像、Ｐ…中間画像形成面、ＳＣＲ…スクリーン
【図１】
2011197211.tif 000003
【図２】
2011197211.tif 000004
【図３】
2011197211.tif 000005
【図４】
2011197211.tif 000006
【図６】
2011197211.tif 000007
【図７】
2011197211.tif 000008
【図８】
2011197211.tif 000009
【図９】
2011197211.tif 000010
【図１０】
2011197211.tif 000011
【図１１】
2011197211.tif 000012
【図１２】
2011197211.tif 000013
【図１３】
2011197211.tif 000014
【図１４】
2011197211.tif 000015
【図１５】
2011197211.tif 000016
【図１６】
2011197211.tif 000017
【図５】
2011197211.tif 000018